(57)【要約】【課題】シンクライアントシステム環境化で従業員のフリーアドレス化を実現する場合、認証デバイス、マウス、IPフォンをそれぞれ用意する必要があり、紛失などの課題がある。【解決手段】  シンクライアント端末と、前記シンクライアント端末と接続する入力デバイス装置と、前記シンクライアント端末とネットワークを介して接続するサーバとを有する通信システムであって、前記入力デバイスは、ユーザ情報を記憶する認証デバイスと、マウス部と、前記マウス部と結合部を介して接続するＩＰフォン部とを有し、前記シンクライアント端末は、前記認証デバイスから読み出されるユーザ情報に基づいて、前記サーバとの接続認証処理を行い、前記接続認証処理のときに、前記マウス部及び前記ＩＰフォン部との接続情報を前記サーバに送信する。【選択図】    図1
2011113328.tif 000002
【特許請求の範囲】
【請求項１】
シンクライアント端末と、前記シンクライアント端末と接続する入力デバイス装置と、前記シンクライアント端末とネットワークを介して接続するサーバとを有する通信システムであって、
前記入力デバイスは、
ユーザ情報を記憶する認証デバイスと、
マウス部と、
前記マウス部と結合部を介して接続するＩＰフォン部とを有し、
前記シンクライアント端末は、
前記認証デバイスから読み出されるユーザ情報に基づいて、前記サーバとの接続認証処理を行い、
前記接続認証処理のときに、前記マウス部及び前記ＩＰフォン部との接続情報を前記サーバに送信することを特徴とする通信システム。
【請求項２】
前記シンクライアント端末は、ユーザのＩＤとパスワードの入力を受ける表示部をさらに有し、前記サーバは、前記ＩＤと前記パスワードと前記ユーザ情報とを用いて、前記接続認証処理のときに、前記マウス部及び前記ＩＰフォン部を認識処理をすることを特徴とする請求項１に記載の通信システム。
【請求項３】
前記サーバは、前記接続情報を受信するときに前記マウス部及び前記ＩＰフォン部を接続状態と認識する制御部を有することを特徴とする請求項１に記載の通信システム。
【請求項４】
前記入力デバイスは、前記マウス部と前記ＩＰフォン部とが分離可能であることを特徴とする請求項１に記載の通信システム。
【請求項５】
前記マウス部と前記ＩＰフォン部とは、各々に電源供給部を有し、互いに電源を供給することを特徴とする請求項１に記載の通信システム。
【請求項６】
前記サーバは、前記ＩＤに対応したＩＰフォン通信制御機能を含む座席管理アプリ制御部を有することを特徴とする請求項１に記載の通信システム。
【発明の詳細な説明】
【技術分野】
【０００１】
本発明はＩＰ端末による作業環境をフリーアドレス化する際の入力デバイス装置とシンクライアントＰＣに関する。
【背景技術】
【０００２】
従来はオフィスでの従業員は特定の座席に座り作業をする形式となっている。また、プログラムやデータをサーバ側に蓄積し、クライアント側に蓄積するデータを低減するシンクライアントシステムを使用する場合には、一般に、利用者の認証のため、認証デバイスとしてのストレージデバイスをクライアント（シンクライアントＰＣ）に接続し、ストレージデバイス内の利用者の認証情報を用いて認証を行う（例えば特許文献１）。
【先行技術文献】
【特許文献】
【０００３】
【特許文献１】特開2007-58869号公報
【発明の概要】
【発明が解決しようとする課題】
【０００４】
シンクライアントシステムを採用するオフィスで従業員の座席のフリーアドレス化を実現する場合、シンクライアント端末は据え置きとして、ユーザーは認証デバイス、マウス、IPフォンをそれぞれ別々に持ち歩くことをが想定される。この場合、紛失の可能性の増大、また、認証デバイス、マウス、IPフォンをそれぞれ認識させる作業による手間の発生が課題となっている。
本発明の目的は、入力デバイス装置により認証デバイス、マウス、IPフォンを認識するシステムを提供することにある。また他の目的は、当該認識と座席管理システムや電話会議システムとを連動させるシステムを提供することにある。
【課題を解決するための手段】
【０００５】
本発明による通信システムは一例として、シンクライアント端末と、前記シンクライアント端末と接続する入力デバイス装置と、前記シンクライアント端末とネットワークを介して接続するサーバとを有する通信システムであって、前記入力デバイスは、ユーザ情報を記憶する認証デバイスと、マウス部と、前記マウス部と結合部を介して接続するＩＰフォン部とを有し、前記シンクライアント端末は、前記認証デバイスから読み出されるユーザ情報に基づいて、前記サーバとの接続認証処理を行い、前記接続認証処理のときに、前記マウス部及び前記ＩＰフォン部との接続情報を前記サーバに送信することを特徴とする。
【発明の効果】
【０００６】
従業員の作業環境をフリーアドレス化する場合に、入力デバイス装置をシンクライアント端末に接続しユーザ認証を行うことで、サーバ、マウス、IPフォンの認証を一括して実行できる。また、マウスとIPフォンを分離する場合には、シンクライアント端末使用中にIP電話がかかってきた場合にも、携帯性のよいＩＰフォンを使用することが可能となる。
【図面の簡単な説明】
【０００７】
【図１】本発明の一実施形態のシステム構成
【図２】一実施形態のシンクライアント端末の表示部の表示の例
【図３】一実施形態のシステム構成の例
【図４】一実施形態におけるフローチャート
【図５】入力デバイス装置の構成の例
【図６】入力デバイス装置の構成の例
【図７】マウス部の機能ブロックの例の図
【図８】ＩＰフォン部の機能ブロックの例の図
【図９】マウス部とIPフォン部を分離して使用する場合を含めたフローチャート
【図１０】マウス−IPフォン一体型をマウスとして使用する場合の電源制御処理例のフロー
【発明を実施するための形態】
【０００８】
以下、本発明を実施する場合の一形態を、図面を参照して具体的に説明する。
【０００９】
図１に本発明の一実施形態のシステム構成を示す。また、図２にシンクライアント端末の表示部の表示の例を示す。また、図３に本発明の一実施形態のシステム構成を示す。さらに、図４にフローチャートを示す。
【００１０】
シンクライアント端末１は表示部２とＵＳＢポート1002を備える。入力デバイス装置1000は認証デバイス1001を格納する。ユーザーがシンクライアント端末のUSBポート1002に認証デバイス1001を装着すると、表示部２にユーザ認証画面1003が表示される。ユーザ認証画面1003へIDとパスワードを入力すると、図４記載のユーザ認証4001を行う。ネットワーク３を介して認証デバイス1001に格納されたユーザ情報を認証サーバ５へ送信する。認証サーバ５は、送信された情報に基づいて、認証サーバ５接続の図示しないユーザ情報データベースを検索し、ＩＤとパスワードが一致することを確認し、一致する場合には継続処理指令をネットワーク３を介して端末１へ送信する。認証された場合、ネットワーク３を介して制御サーバ４にアクセスし、図４記載のサーバ接続4002をしサーバ接続先画面を端末に表示する。ユーザ認証4001により、サーバ接続4002とあわせてマウス認識4003とIPフォン認識4004を行う。マウス認識4003とIPフォン認識4004は、シンクライアント端末との接続状況をサーバ装置にサーバ接続の際にシンクライアント端末が通知し、サーバ装置におけるマウスとＩＰフォンの制御部がマウスとＩＰフォンについて接続状態の認識を行う。これに基づき、シンクライアント端末を介して制御部によるマウスとＩＰフォンの制御が可能となる。ここで、さらに座席管理アプリケーション起動4005を行う。具体的には、制御サーバからの座席管理アプリ起動指令によりＷｅｂサーバの座席管理アプリ制御部がアプリを起動させる。なお、座席管理アプリは、ユーザＩＤに対応したＩＰフォンの通信制御機能を含む。以上により、端末よりマウスとIPフォン、座席管理アプリケーション画面1005が使用可能となる。座席ナビ画面1005では電話会議システムアプリ登録画面1006へのリンクが貼られており、電話会議システムの利用も可能である。ユーザーが電話会議システムアプリ登録画面1006へのリンクを押し下げ入力すると、制御サーバからの電話会議システムアプリ起動指令によりＷｅｂサーバの電話会議システムアプリ制御部がアプリを起動させる。  入力デバイス装置の構成を図５、６に示す。入力デバイス装置は、図５に示す通り、普段はマウス−IPフォン一体型2001をマウスとして使用する。IP電話がかかってきた場合、図６に示す通り、マウス2002とIPフォン2003を分離してそれぞれマウス2002とIPフォン2003として使用する。
【００１１】
図７にマウス部の機能ブロック図を、図８にＩＰフォン部の機能ブロック図を各々示す。マウス部は、認証デバイス707を格納するとともに、ワイヤレス送受信装置701、マウスーＩＰフォン接合部702、711などの図に示す機能ブロックを含む。ＩＰフォン部は、スピーカー803、ボタン入力制御部807を格納するとともに、ワイヤレス送受信装置801、マウス―ＩＰフォン接合部802、811などの図に示す機能ブロックを含む。先述のID・パスワード認証によるサーバ接続後、マウス側認証デバイス認証部705とIPフォン認証デバイス認証部806にて、端末側にマウス2002とIPフォン2003が認識される。
【００１２】
マウス2002とIPフォン2003を分離して使用する場合を含めたフローチャートを図９に示す。分離して使用する場合、マウス部ホイール機能4006、IPフォン部ワイヤレス送受信機能4007、IPフォン部スピーカー機能4008、IPフォン部マイク機能4009、IPフォン部電池機能4010、IPフォン部画面操作制御機能4011、IPフォン部ボタン入力制御機能4012を起動する。また、IPフォン部ホイール機能4013を停止することでマウス2002とIPフォン2003を分離して使用することを可能とする。マウス2002とIPフォン2003をマウス―IPフォン一体型2001として使用する場合、IPフォン2003を上位に設置するため、IPフォン2003のホイール805を使用することとなり、マウス2002のホイール704は使用しなくなる。IPフォン2003のホイール805を使用する際、マウス2002のホイール704が誤作動を起こさないために、マウス部ホイール機能停止4014を実施する。マウス―IPフォン一体型2001をマウスとして使用する場合、マウス部ホイール機能4014、IPフォン部ワイヤレス送受信機能4015、IPフォン部スピーカー機能4016、IPフォン部マイク機能4017、IPフォン部電池機能4018、IPフォン部ボタン制御機能4019を停止し、IPフォン部ホイール機能4020を起動することで、マウス―IPフォン一体型2001をマウスとして使用することを可能とする。マウス2002とIPフォン2003をマウス―IPフォン一体型2001として使用する場合、先述の通り、マウス部ホイール機能停止4014を実施しているため、マウス2002とIPフォン2003を分離して使用する場合、IPフォン部ホイール機能起動4013を実施する。
【００１３】
図１０に、マウス―IPフォン一体型2001をマウスとして使用する場合の電源制御処理の例のフローを示す。マウスまたはIPフォンの電池がなくなりそうな場合、IPフォンの電源をマウスへ供給またはマウスの電源をIPフォンへ供給することも可能である。
【００１４】
上記構成により、IP電話がかかってきたとき、IPフォン一体型マウスを2つに分離することで、IPフォンとしてもマウスとしても同時に両機能を使用することができる。サーバリソースがマウスとIPフォンの中継役となることで、マウスでサーバリソースでの画面上にあるIPフォンのボリュームコントローラーを操作したり、リダイヤル機能を操作したりすると、IPフォンのボリュームが調整やリダイヤル発信が可能となる。また、マウスまたはIPフォンどちらかの電池がなくなりそうになったとき、マウスとIPフォンを一体化したときに双方が電源を供給できる。
【００１５】
また、IP電話がかかってきたとき、IPフォン一体型マウスを2つに分離しすることで、IPフォンとしてもマウスとしても同時に両機能を使用することができる。
【図１】
2011113328.tif 000003
【図２】
2011113328.tif 000004
【図３】
2011113328.tif 000005
【図４】
2011113328.tif 000006
【図５】
2011113328.tif 000007
【図６】
2011113328.tif 000008
【図７】
2011113328.tif 000009
【図８】
2011113328.tif 000010
【図９】
2011113328.tif 000011
【図１０】
2011113328.tif 000012